(57)【要約】【課題】主に、文字目盛領域の内側部分の意匠性を向上し得るようにする。【解決手段】文字板２の文字目盛領域６の内側に、指針軸孔４と同心状の孔部１５を有する透明部材１６が取付けられ、孔部１５に、指針軸５とは別個に回転可能な回転体１７が配置され、回転体１７に孔部１５から透明部材１６の半径方向へ向けて光を出射可能な出射部１８が設けられ、出射部１８から透明部材１６の内部へ出射された光によって透明部材１６に補助指針１９が表示されるようにしている。【選択図】図３
2013015322.tif 000002
【特許請求の範囲】
【請求項１】
文字板の表面に、指針が回動自在に配設され、
該指針が前記文字板の中心部に設けられた指針軸孔に貫通された指針軸に取付けられ、
前記文字板がその外周部に文字目盛領域を有する車両用計器装置において、
前記文字板の文字目盛領域の内側に、前記指針軸孔と同心状の孔部を有する透明部材が取付けられ、
前記孔部に、前記指針軸とは別個に回転可能な回転体が配置され、
該回転体に前記孔部から透明部材の半径方向へ向けて光を出射可能な出射部が設けられ、
該出射部から前記透明部材の内部へ出射された光によって透明部材に補助指針が表示されるようにしたことを特徴とする車両用計器装置。
【請求項２】
前記透明部材が、裏面に前記指針軸孔または前記孔部と同心状の凹凸状反射部を有することを特徴とする請求項１記載の車両用計器装置。
【請求項３】
前記透明部材の裏面が、全体として中心へ向けてすぼむ円錐台状をしていることを特徴とする請求項１または請求項２記載の車両用計器装置。
【発明の詳細な説明】
【技術分野】
【０００１】
この発明は、文字目盛領域の内側部分の意匠性を向上し得るようにした車両用計器装置に関するものである。
【背景技術】
【０００２】
自動車などの車両には、車室内の前部にインストルメントパネルが設けられている。そして、このインストルメントパネルの運転席側の部分、または、運転席と助手席との間の部分などには、車両用計器装置が備えられている。
【０００３】
このような車両用計器装置は、文字板の表面に、指針を回動自在に配設したものなどとされる。この指針は、文字板の中心部に設けられた指針軸孔に貫通された指針軸に取付けられる。そして、文字板には、その外周部に文字目盛領域が形成されている。
【０００４】
そして、このような車両用計器装置では、文字板の文字目盛領域の内側部分の模様を変更し得るようにしたものが知られている（例えば、特許文献１参照）。
【０００５】
この車両用計器装置は、文字目盛領域の内側に透明または半透明な二枚の模様板を指針軸の軸線方向に隔てて設置し、少なくとも一方の模様板を回転させることにより、模様を変更し得るようにしている。
【先行技術文献】
【特許文献】
【０００６】
【特許文献１】特開２００９−４２００１号公報
【発明の概要】
【発明が解決しようとする課題】
【０００７】
しかしながら、上記特許文献１に記載された車両用計器装置には、以下のような問題があった。
【０００８】
即ち、重ねられた二枚の模様板のうち少なくとも一方を回転させることによって、模様を変更させるようにしているため、単調で模様の変化に乏しく、しかも、模様の変化に何らかの意味を持たせるようにすることもできなかった。
【課題を解決するための手段】
【０００９】
上記課題を解決するために、本発明は、文字板の文字目盛領域の内側に、指針軸孔と同心状の孔部を有する透明部材が取付けられ、孔部に、指針軸とは別個に回転可能な回転体が配置され、回転体に孔部から透明部材の半径方向へ向けて光を出射可能な出射部を設け、出射部から透明部材の内部に出射された光によって透明部材に補助指針を表示し得るようにしたことを特徴とする。
【発明の効果】
【００１０】
本発明によれば、上記構成によって、以下のような作用効果を得ることができる。即ち、指針軸とは別個に回転可能に配置された回転体の出射部から孔部を通して透明部材の内部へ半径方向へ向けて光を出射させることにより、透明部材に光による補助指針を表示させることができる。
【図面の簡単な説明】
【００１１】
【図１】本発明の実施例にかかる車両用計器装置の平面図である。
【図２】図１の車両用計器装置の斜視図である。
【図３】図２の車両用計器装置を部分的に破断した斜視図である。
【図４】図３の断面部分の側面図である。
【図５】図４の部分拡大図である。
【図６】図１の車両用計器装置の分解斜視図である。
【発明を実施するための形態】
【００１２】
以下、本発明を具体化した実施例を、図面を用いて詳細に説明する。
【００１３】
図１〜図６は、この実施例を示すものである。
【実施例】
【００１４】
＜構成＞以下、構成について説明する。
【００１５】
自動車などの車両には、車室内の前部にインストルメントパネルが設けられている。そして、このインストルメントパネルの運転席側の部分、または、運転席と助手席との間の部分などには、車両用計器装置が備えられる。このような車両用計器装置には、例えば、速度計や回転計や燃料計や水温計やバッテリー計など、または、これらを適宜組み合わせたものなどがある。この実施例では、回転計の場合について説明するが、これに限るものではない。
【００１６】
そして、図１または図２に示すような車両用計器装置１には、文字板２の表面に、指針３（実指針）を回動自在に配設したアナログ式のものが存在する。そして、図３〜図６に示すように（特に、図５の縦断面図と、図６の分解斜視図を参照）、この指針３は、文字板２の中心部に設けられた指針軸孔４に貫通された指針軸５に取付けられる。そして、文字板２には、その外周部に文字目盛領域６が形成される。
【００１７】
ここで、指針軸５は、指針駆動装置７の出力軸とされる。或いは、指針軸５は、指針駆動装置７の出力軸に接続された軸部材とされる。指針駆動装置７は、文字板２の裏面側にほぼ平行に配設された回路基板８の裏面側に取付けられている。指針駆動装置７には、例えば、ステッピングモータや交叉コイルなどのムーブメントが用いられる。
【００１８】
また、回路基板８の表面には、指針軸５の外周を同心状に覆う、筒状の遮蔽部材９（光漏れ防止部材）が設置されている。この遮蔽部材９は、指針軸孔４よりも径の小さいものとされて、指針軸孔４に貫通配置されている。また、遮蔽部材９の両端部（図中上下端部）は、回路基板８と指針３の基部とによって、それぞれ、光が漏れないように覆われている。指針３の基部は、遮蔽部材９の端部を覆い得る大きさの円形状などとしても良いし、遮蔽部材９の端部を覆う大きさの指針キャップを取付けるようにしても良い。そして、回路基板８の表面における遮蔽部材９の内側の部分には、指針３を照明するための指針照明用光源１１が取付けられている。この指針照明用光源１１には、例えば、ＬＥＤなどが用いられる。指針照明用光源１１は、指針軸５の回りに数ヶ所設けられる。
【００１９】
そして、上記した文字目盛領域６は、ほぼリング状をしている。この文字目盛領域６には、文字や目盛などの指標が周方向に所定の間隔を有して設けられている。上記した指針３は、上記した文字や目盛などの指標の一部と重なるように文字目盛領域６内へと延ばされている。
【００２０】
そして、以上のような基本構成に対し、この実施例のものでは、以下のような構成を備えるようにしている。
【００２１】
（構成１）
文字板２の文字目盛領域６の内側に、指針軸孔４と同心状の孔部１５を有する透明部材１６が取付けられる。なお、透明部材１６は、ポリカーボネートやアクリルなどによって構成される。透明部材１６は、所望の色に着色しても良い。そして、孔部１５に、指針軸５とは別個に回転可能な回転体１７が配置される。この回転体１７に、孔部１５から透明部材１６（内部）の半径方向外側へ向けて光を出射可能な出射部１８が設けられる。これにより、出射部１８から透明部材１６の内部へ出射された光によって透明部材１６に補助指針１９（図１または図２参照）が表示されるようにする。
【００２２】
ここで、孔部１５は、指針軸孔４よりも径が小さく、遮蔽部材９の外周面と同じかそれよりも若干径の大きなものとされる。この孔部１５に対して、上記した遮蔽部材９が貫通される。
【００２３】
透明部材１６は、文字板２の板面と平行（でほぼ面一）な滑らかな表面を有する比較的厚肉のものとされる。そして、透明部材１６の孔部１５と遮蔽部材９との間および透明部材１６の裏面との間にかけて回転体１７を設置可能な円筒状の回転体設置空間１５ａが設けられる。この場合には、孔部１５の奥側の部分を段差状に拡径して回転体設置空間１５ａを設けるようにしている。
【００２４】
そして、回転体１７は、平坦なリング状をした頂面部１７ａと、円筒状の胴部１７ｂと、フランジ部１７ｃとを有するハット状のものとされる。回転体１７の頂面部１７ａと、胴部１７ｂとは、回転体設置空間１５ａに合わせた大きさおよび形状となるように形成されている。
【００２５】
そして、リング状の頂面部１７ａの内周部分に上記した遮蔽部材９が同心状に摺接嵌合されることにより回転体１７が軸支され、胴部１７ｂが回転体設置空間１５ａの内周面と遮蔽部材９の外周面との間に挿入配置され、フランジ部１７ｃが、透明部材１６および文字板２の裏面と回路基板８の表面との間に配置される。フランジ部１７ｃの外周は、複数の歯部を有する歯車部２１とされている。そして、この歯車部２１に、別の歯車部２２を介して補助指針駆動装置２３が接続されることにより、回転体１７を回転駆動し得るようにしている。この補助指針駆動装置２３は、回路基板８の裏面側に指針駆動装置７と隣接させて取付けられている。補助指針駆動装置２３は、指針駆動装置７と同様のステッピングモータや交叉コイルなどのムーブメントとされている。
【００２６】
また、上記した出射部１８は、回転体１７の胴部１７ｂにおける、透明部材１６の孔部１５（回転体設置空間１５ａ）と対向する位置に形成された開口部とされている。この開口部は、比較的小さなものとされる。そして、回転体１７の胴部１７ｂの内部には、筒状の導光体２５が配設される。この導光体２５は、胴部１７ｂの内周面と遮蔽部材９の外周面との間に同心状に介在される。導光体２５は、例えば、遮蔽部材９の外周面に外嵌固定するようにしても良い。また、導光体２５は、例えば、回転体１７の回転を案内するガイド部材などとしても良い。そして、回路基板８の表面における導光体２５の対向する端面（入射面２５ａ）に臨む位置には、補助指針１９を形成するための補助指針用光源２７が取付けられる。この補助指針用光源２７には、例えば、ＬＥＤなどが用いられる。補助指針用光源２７は、遮蔽部材９の回りに数ヶ所設けられる。更に、導光体２５の反対側の端面には、補助指針用光源２７からの光を出射部１８へと導く反射面２５ｂが形成されている。この反射面２５ｂには、光を反射させる反射層を施すようにする。或いは、上記に替えて、出射部１８に対して直接上記した補助指針用光源２７を取付けるようにすることもできる。
【００２７】
（構成２）
上記において、透明部材１６を、裏面に指針軸孔４または孔部１５と同心状の凹凸状反射部３１を有するものとする。
【００２８】
ここで、凹凸状反射部３１は、例えば、鋸刃状或いはフレネルレンズ状に形成されたものが、透明部材１６のほぼ全域に亘って多重に設けられる。凹凸状反射部３１は、出射部１８から透明部材１６の内部へ出射された光を文字板２の表面へ向けて反射可能なものとする。凹凸状反射部３１の裏面側には、必要に応じて、光を反射させる反射層や、奥部が透けて見えるのを防止するための表面処理が施される。表面処理としては、例えば、梨地模様や、反射層を設けることなどができる。
【００２９】
（構成３）
上記において、透明部材１６の裏面を、全体として中心（この場合には更に下方）へ向けてすぼむ円錐台状のものとする（円錐台状透明部材３５）。
【００３０】
ここで、円錐台状の透明部材１６は、文字板２の中央部分に形成された円錐台状の凹部３６に対して載置保持される。この円錐台状の凹部３６は、文字板２と回路基板８との間に介在された中間ハウジング３７によって背面の少なくとも一部を部分的に支持される。この中間ハウジング３７には、その外周部に、凹部３６の裏面側を当接支持可能なテーパリング状の凹部支持部３７ａが設けられている。また、中間ハウジング３７には、その内周部分に、回転体１７の底部を回転自在に保持可能な回転体保持部３７ｂが設けられている。更に、中間ハウジング３７の凹部支持部３７ａには、上記した別の歯車部２２を配置するための切欠部３７ｃが設けられている。なお、上記した遮蔽部材９を中間ハウジング３７に対して一体に設けることもできる。
【００３１】
また、構造的には、透明部材１６の裏面を、平坦な面としたり、平坦な面と円錐台状の部分とを単段または多段に組合わせたものとしたりすることなども可能である。
【００３２】
＜作用効果＞以下、この実施例の作用効果について説明する。
【００３３】
車両用計器装置１は、文字板２の表面に配設された指針３（実指針）を回動させて、文字板２の外周部に設けられた文字目盛領域６に沿って移動させることにより、文字目盛領域６に形成された文字や目盛などの指標を指し示すことができる。これにより、乗員は、運転情報を知得することができる。
【００３４】
（作用効果１）
そして、指針軸５とは別個に回転可能に配置された回転体１７の出射部１８から孔部１５を通して透明部材１６の内部へ半径方向外側に向けて光を出射させることにより、文字板２の文字目盛領域６の内側部分に設けられた透明部材１６に、光による補助指針１９を表示（間接照明表示）させることができる。この光による補助指針１９によって、例えば、推奨域（或いは、推奨回転領域、コーチング領域）などの運転補助情報を表示させることができる。この推奨域は、車両の速度やシフトポジションや回転数などの走行状況によって変化するものであるが、回転体１７を回転させることによって、光による補助指針１９を現在の状況に応じた推奨域へと移動させることができる。
【００３５】
そして、光による補助指針１９は、透明部材１６に明瞭に現わされるため、実際の指針３と区別することが容易である。また、光による補助指針１９と、透明部材１６（および透明部材１６裏面の凹凸状反射部３１など）とによって文字目盛領域６の内側部分の意匠性を高めることができる。また、光による補助指針１９を、回転体１７の回転によって機械的に回動させるようにしているため、動きが自然で指針３の動きに対して違和感のないものとすることができる。更に、回転体１７の回転機構は、比較的簡単に構成できるため、光による補助指針１９を安価に実現することができる。
【００３６】
これに対し、構造的には、例えば、文字板２を液晶パネルにして、液晶パネル上に補助指針１９と同様のものを表示させることや、文字板２の外周に沿って多数の補助指針用光源２７を取付けて、このうちの幾つかを点灯させることにより、補助指針１９と同様の機能を有するものを出現させることなども考えられるが、このようにする場合と比べても、安価に実現できると共に、より高い意匠性や、より自然な表示感を得ることが可能である。
【００３７】
なお、上記したように、出射部１８に直接補助指針用光源２７を取付けるようにした場合には、補助指針用光源２７の点灯個数によって、補助指針１９の太さや光量などを変更することができる。
【００３８】
（作用効果２）
上記において、透明部材１６の裏面に指針軸孔４または孔部１５と同心状の凹凸状反射部３１を設けることにより、光による補助指針１９を周方向へ所要幅に広げて、レーダーパネルをイメージさせるような帯状の光に見せることができる。また、同心状の凹凸状反射部３１で光による補助指針１９を周方向へ広げることにより、使用する光源の数を減らすことができる。更に、同心状の凹凸状反射部３１は、周方向のどの位置であっても、光による補助指針１９を同じ形状にすることができるため、凹凸状反射部３１を他の形状に変えた場合と比べて、光による補助指針１９をより安定したものとすることができる。そして、多重の同心状の凹凸状反射部３１は、透明部材１６の半径方向に対して多数の反射面２５ｂを有するものとなるので、光による補助指針１９の長さ方向の各部を明瞭に視認させることができる。
【００３９】
（作用効果３）
そして、透明部材１６の裏面側を、全体として中心（この場合には更に下方）へ向けてすぼむ円錐台状としたことにより、光による補助指針１９や透明部材１６を立体的に見せることが可能となる。これにより、更に意匠性を向上することができる。また、指針３と光による補助指針１９を出現させる出射部１８との間に高低差があっても、両者を無理なく見せることができると共に、構造的にまとまりの良いものとすることができる。
【００４０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４１】
１  車両用計器装置
２  文字板
３  指針
４  指針軸孔
５  指針軸
６  文字目盛領域
１５  孔部
１６  透明部材
１７  回転体
１８  出射部
１９  補助指針
３１  凹凸状反射部
【図１】
2013015322.tif 000003
【図２】
2013015322.tif 000004
【図３】
2013015322.tif 000005
【図４】
2013015322.tif 000006
【図５】
2013015322.tif 000007
【図６】
2013015322.tif 000008